(57)【要約】【課題】複数の平面状配線体が集合された接続体の複数箇所とその接続相手の配線体とを容易に一括接続可能とした配線体の接続構造を提供する。【解決手段】端部の導体を露出させた導体露出部を有する複数の平面状配線体が前記導体露出部をずらした状態で配置された第１の接続体と、前記第１の接続体に接続される第２の接続体とを有し、前記第１の接続体と前記第２の接続体とを接続端子体で電気的に接続した接続部を備えており、前記接続端子体は、前記第１の接続体の複数の平面状配線体に接続される複数の端子からなる第１の端子部と、前記第２の接続体に接続される第２の端子部とが、折り曲げられた弾性部を介して一体的に形成されてなるものとする。さらに、接続端子体はハウジングに組み込まれていることが望ましい。【選択図】　図１
2004139840.tif 000002
【特許請求の範囲】
【請求項１】
導体が露出された導体露出部を有する複数の平面状配線体が前記導体露出部をずらした状態で配置された第１の接続体と、前記第１の接続体に接続される第２の接続体とを有し、
前記第１の接続体と前記第２の接続体とを接続端子体で電気的に接続した接続部を備えており、
前記接続端子体は、前記第１の接続体の複数の平面状配線体に接続される複数の端子からなる第１の端子部と、前記第２の接続体に接続される第２の端子部とが、折り曲げられた弾性部を介して一体的に形成されてなることを特徴とする配線体の接続構造。
【請求項２】
前記接続端子体はハウジングに組み込まれていることを特徴とする、請求項１記載の配線体の接続構造。
【発明の詳細な説明】
【０００１】
【発明の属する技術分野】
本発明は、配線体の接続構造に関する。具体的には、複数の平面状配線体を好適に一括接続する配線体の接続構造に関する。
【０００２】
【従来の技術】
近年、電線・ケーブル・回路基板等の配線体同士、または配線体と電気装置とを接続する技術の検討が進んでいる（本明細書では、これらの接続対象となる配線体や電気装置を、「接続体」と表記する）。特に、接続体における接続箇所が多数存在する場合には、これらの接続箇所を一括接続する技術、例えばコネクタを用いる技術が必要となり、技術の検討が盛んに行われている。
【０００３】
接続体の接続にコネクタを用いる技術の例として、プリント板（回路基板）同士を接続するための中継用カードエッジコネクタが知られている。この中継用カードエッジコネクタは、第１のプリント板と第２のプリント板とをそれぞれ挿抜自在に接続するためのものであり、例えば、導電パターンの配列を変換する第２のプリント板と中継用カードエッジコネクタとの組み合わせにより、第１のプリント板のパターン変更の必要をなくすために用いられる（特許文献１参照）。
【０００４】
【特許文献１】特開平５−１３５８３６号公報（３ページ３欄３４行〜４ページ５欄１２行、図１〜図４参照）
【０００５】
【発明が解決しようとする課題】
ところで、最近、例えば複数の平面状配線体（フラットケーブル等）が集合された接続体とその接続相手の接続体とを一括接続するような新たな配線体の接続構造が求められている。
【０００６】
しかし、前述の特許文献１に記載された技術は、第１のプリント板の導電パターンと第２のプリント板の導電パターンとを中継用カードエッジコネクタにより１対１で接続するものであって、複数の平面状配線体が集合された接続体を一括接続する技術に適用することは困難である。
【０００７】
そこで、本発明では、複数の平面状配線体が集合された接続体の複数箇所とその接続相手の配線体とを容易に一括接続可能とした配線体の接続構造を提供することを目的とする。
【０００８】
【課題を解決するための手段】
請求項１の発明は、導体が露出された導体露出部を有する複数の平面状配線体が前記導体露出部をずらした状態で配置された第１の接続体と、前記第１の接続体に接続される第２の接続体とを有し、前記第１の接続体と前記第２の接続体とを接続端子体で電気的に接続した接続部を備えており、前記接続端子体は、前記第１の接続体の複数の平面状配線体に接続される複数の端子からなる第１の端子部と、前記第２の接続体に接続される第２の端子部とが、折り曲げられた弾性部を介して一体的に形成されてなることを特徴とする。
【０００９】
請求項２の発明は、請求項１の発明において、前記接続端子体はハウジングに組み込まれていることを特徴とする。
【００１０】
【発明の実施の形態】
本発明の実施形態を、図面を用いて説明する。
【００１１】
図１は、本発明の配線体の接続構造の主要部の一例を概略的に示す分解斜視図である。図１において、１は第１の接続体、２は第２の接続体、３は接続端子体の集合体である。
【００１２】
第１の接続体１は、複数のフラットケーブル１１〜１４がそれぞれの端部の導体が露出された導体露出部１１ａ〜１４ａをずらした状態で配置されたものである。なお、図１においては複数のフラットケーブル１１〜１４が積層された状態が示されているが、導体露出部１１ａ〜１４ａをずらした状態で配置されていれば、複数のフラットケーブル１１〜１４はどのように配置されていてもよく、フラットケーブル１１〜１４のかわりに他の平面状配線体を用いてもよい。
【００１３】
第２の接続体２は、第１の接続体１と接続されるものである。第２の接続体２には、接続端子体の集合体３の各接続端子体を接続するための接続箇所２１が設けられている。図２において、接続箇所２１の具体例として貫通穴が示されているが、それ以外の構成であってもよいことはいうまでもない。
【００１４】
また、図１において、第２の接続体２の具体例として回路基板が示されているが、第２の接続体２は第１の接続体１と接続可能であればどのような形態のものであってもよく、例えば第１の接続体１と同様に複数のフラットケーブルが集合されたものでもよく、またランプ・計器類などの電気装置でもよいことはいうまでもない。
【００１５】
接続端子体の集合体３は、第１の接続体１の複数の平面状配線体に接続される複数の端子からなる第１の端子部３ａと、第２の接続体２に接続される第２の端子部３ｂとが、折り曲げられた弾性部３ｃを介して一体的に形成されてなる接続端子体を、目的とする接続パターンを得るために組み合わせたものである。
【００１６】
なお、本明細書において、「一体的に形成される」とは、一体に形成されることを意味するほか、配線体の接続前にあらかじめ接合されて形成されることも意味するものとする。
【００１７】
図２は、図１の配線体の接続構造の具体的一例を概略的に示す分解斜視図である。図２において、４はハウジングであって、接続端子体の集合体３を収容するための構成を備えたものである。
【００１８】
図２において、ハウジング４は、第１のハウジング４１と、中間ハウジング４２と、第２のハウジング４３とを備えている。ハウジング４の材質は、絶縁体であればよく、例えば合成樹脂等とすることができる。
【００１９】
第１のハウジング４１は、第１の接続体１を収容するものであって、図２には複数のフラットケーブル１１〜１４の導体露出部１１ａ〜１４ａが収容された状態が示されている。なお、第１のハウジング４１の形態は、図２の形態のみに限られるものではない。
【００２０】
中間ハウジング４２には、接続端子体の集合体３を収容するスリット状の溝部４４が設けられている。なお、接続端子体の集合体３を収容するための構成は、図２の形態のみに限られるものではない。
【００２１】
第２のハウジング４３は、第２の接続体２に対向して設けられるものであり、接続端子体の集合体３の第２の端子部３ｂが貫通される貫通穴４５が設けられている。
【００２２】
また、図２において、第２のハウジング４３は中間ハウジング４２の溝部４４の蓋としても機能している。そして、中間ハウジング４２の溝部４４と、第２のハウジングの貫通穴４５とにより接続端子体の集合体３が保持される。
【００２３】
次に、図２に示された各構成を組み立てた状態について説明する。図３は、配線体の接続構造の具体的一例を概略的に示す斜視図である。
【００２４】
図３に示すように、接続端子体の集合体３の第２の端子部３ｂが第２のハウジング４３から突出しているので、第２の端子部３ｂを第２の接続体２（図示せず）に容易に接続することができる。
【００２５】
次に、接続端子体の集合体３を構成する各接続端子体の例を説明する。図４は、本発明の配線体の接続構造に用いられる接続端子体の例を概略的に示す斜視図である。
【００２６】
図１および図２に示された接続端子体の集合体３に用いられる接続端子体としては、例えば、（イ）〜（ニ）の４種類の形状のものが用いられる。以下、代表として図４（イ）について説明する。
【００２７】
図４（イ）の接続端子体３１は、２個の端子からなる第１の端子部３１ａと、１個の端子からなる第２の端子部３１ｂとが、折り曲げられた弾性部３１ｃを介してこれらを連結する連結部３１ｄにより一体的に形成されてなるものである。この弾性部３１ｃは、第１の端子部３１ａが第１の接続体１と適度な接触状態を保つ作用をする。また、連結部３１ｄは、１つの部材を折り曲げて形成することもでき、また、２つの部材を接合して形成することもできる。
【００２８】
そして、図４（ロ）（ハ）（ニ）に示される接続端子体（３２、３３、３４）も、図４（イ）に示される接続端子体３１と同様、２個の端子からなる第１の端子部（３２ａ、３３ａ、３４ａ）と、１個の端子からなる第２の端子部（３２ｂ、３３ｂ、３４ｂ）とが、折り曲げられた弾性部（３２ｃ、３３ｃ、３４ｃ）を介してこれらを連結する連結部（３２ｄ、３３ｄ、３４ｄ）により一体的に形成されてなるものであり、これらの作用についても図４（イ）に示される接続端子体３１と同様である。
【００２９】
ところで、図４には、上述した接続端子体３１〜３４のほか、第１の接続体１側に１個の端子部を有する接続端子体３５も示されている。図４（ホ）に示された接続端子体３５は、１個の端子からなる第１の端子部３５ａと１個の端子からなる第２の端子部３５ｂとが、折り曲げられた弾性部３５ｃを介して一体的に形成されてなるものである。第１の端子部３５ａは、図１および図２に示された第１の接続体１の導体露出部１１ａ〜１４ａのいずれかに接続され、第２の端子部３５ｂは、図１に示された第２の接続体２に接続される。
【００３０】
なお、図４（ホ）の接続端子体３５は、同じく図４（イ）〜（ニ）に示された接続端子体３１〜３４などとともに使用されるものである。
【００３１】
また、接続端子体の集合体３を構成する接続端子体として、ここでは図示しないが、第２の端子部が複数の端子からなるもの、すなわち、複数の端子からなる第１の端子部と複数の端子からなる第２の端子部とが、折り曲げられた弾性部を介して一体的に形成されてなるものを用いることもできる。
【００３２】
次に、接続端子体が中間ハウジングに収容された状態について説明する。図５は、図２および図３に示される接続構造に用いられる中間ハウジングの一例を示す説明図である。
【００３３】
図５（イ）に示されるように、中間ハウジング４２には溝部４４が複数設けられている。また、図５（ロ）に示されるように、中間ハウジング４２の底面には溝部４４と連結された貫通部４６が設けられている。
【００３４】
図６は、図５に示された中間ハウジングのＡ−Ａ断面図であり、（イ）は接続端子体の収容前、（ロ）は接続端子体の収容後の様子をそれぞれ示す。なお、図６は、第２のハウジング４３が中間ハウジング４２に取り付けられた状態を示しており、図６（ロ）は、接続端子体として図４に示した接続端子体３２を使用した例を示している。
【００３５】
図６（イ）に示すように、中間ハウジング４２には、接続端子体の集合体３を構成する各接続端子体を収容する溝部４４が設けられている。溝部４４には、接続端子体３２の形状に合わせた突起部４７が設けられている。また、第２のハウジング４３には、接続端子体３２を固定しつつ第２の接続部３２ｂを第２のハウジング４３の外部へ突出させて第２の接続体２と接続するための貫通穴４５が設けられている。
【００３６】
図６（ロ）に示すように、接続端子体３２が溝部４４に収容された状態では、第１の接続部３２ａが貫通部４６から第１の接続体１側に突出している。また、第２の接続部３２ｂは、第２のハウジング４３に設けられた貫通穴４５に固定され、第２のハウジング４３の第２の接続体２側に突出している。このように、第２の端子部３２ｂを第２のハウジング４３に固定しておくと、第２の接続体２と第２の端子部３２ｂとの接続状態の長期信頼性を保つことができる。
【００３７】
そして、第１の接続部３２ａが、図１および図２に示された第１の接続体１の複数の導体露出部１１ａ〜１４ａに電気的に弾性接続され、第２の接続部３２ｂが図１に示された第２の接続体２の接続箇所２１に電気的に接続される。このように、中間ハウジング４２に接続端子体３２を組み込んでおくと、接続端子体３２と第１の接続体１との接続が容易に行われ、図１および図２に示された第１の接続体１と接続端子体の集合体３との一括接続が容易に行われる。
【００３８】
図７は、本発明の配線体の接続構造に用いられる第１のハウジングの具体的一例を示す説明図である。（イ）は分解斜視図、（ロ）は一部切欠斜視図、（ハ）は一部拡大断面図である。
【００３９】
図７（イ）において、第１のハウジング４１は、中間ハウジング４２を受けるための本体部４１ａと、第１の接続体１であるフラットケーブル７１〜７５を受けるためのベース部４１ｂとを有する。また、本体部４１ａは、接続端子体の集合体３の第１の端子部３ａを導入するための貫通穴４８と、第１の接続体１を所定の位置に固定する突条部４９とを有する。
【００４０】
また、図７（イ）に示した各部は、図７（ロ）のように組み立てられ、本体部４１ａとベース部４１ｂとにより第１のハウジング４１が形成される。このとき、フラットケーブル７１〜７５の端部は、図７（ロ）のフラットケーブル７２の固定箇所付近の拡大断面図である図７（ハ）に示すように、突条部４９により第１のハウジング４１の所定の位置に誘導されて固定される。
【００４１】
すなわち、図７に示すように、第１の接続体１を第１のハウジング４１内に組み込むと、第１の接続体１と接続端子体の集合体３との接続が確実に行われるため望ましい。
【００４２】
このようにして、本実施形態では、導体が露出された導体露出部を有する複数の平面状配線体が導体露出部をずらした状態で配置された第１の接続体と、この第１の接続体に接続される第２の接続体とをそれぞれの接続体に適した方法で好適に一括接続することが可能となるが、本発明の範囲は上述したものに限られず、特許請求の範囲に記載された事項の範囲内で適宜変更してもよいことはいうまでもない。
【００４３】
【発明の効果】
以上のとおり、本発明によれば、複数の平面状配線体の端部をずらした状態で配置された第１の接続体と、前記第１の接続体に接続される第２の接続体とが、前記第１の接続体に接続される複数の端子からなる第１の端子部と、前記第２の接続体に接続される第２の端子部とが、折り曲げられた弾性部を介して一体的に形成された接続端子体で接続されてなるため、複数の平面状配線体の複数箇所を必要最小限の個数の接続端子体により容易に一括接続することができる。
【００４４】
さらに、接続端子体がハウジングに組み込まれている場合には、第１の接続体と第１の端子部とを容易に一括接続することができる。
【図面の簡単な説明】
【図１】本発明の配線体の接続構造の主要部の一例を概略的に示す分解斜視図である。
【図２】図１の配線体の接続構造の具体的一例を概略的に示す分解斜視図である。
【図３】配線体の接続構造の具体的一例を概略的に示す斜視図である。
【図４】本発明の配線体の接続構造に用いられる接続端子体の例を概略的に示す斜視図である。
【図５】図２および図３に示される接続構造に用いられる中間ハウジングの一例を示す説明図である。
【図６】図５に示された中間ハウジングのＡ−Ａ断面図である。
【図７】本発明の配線体の接続構造に用いられる第１のハウジングの具体的一例を示す説明図である。
【符号の説明】
１　第１の接続体
２　第２の接続体
３　接続端子体の集合体
４　ハウジング
１１〜１４、７１〜７５　フラットケーブル
１１ａ〜１４ａ　導体露出部
２１　接続箇所
３ａ、３１ａ〜３５ａ　第１の端子部
３ｂ、３１ｂ〜３５ｂ　第２の端子部
３ｃ、３１ｃ〜３５ｃ　弾性部
３１ｄ〜３４ｄ　連結部
４１　第１のハウジング
４１ａ　本体部
４１ｂ　ベース部
４２　中間ハウジング
４３　第２のハウジング
４４　溝部
４５　貫通穴
４６　貫通部
４７　突起部
４８　貫通穴
４９　突条部
【図１】
2004139840.tif 000003
【図２】
2004139840.tif 000004
【図３】
2004139840.tif 000005
【図４】
2004139840.tif 000006
【図５】
2004139840.tif 000007
【図６】
2004139840.tif 000008
【図７】
2004139840.tif 000009